(57)【要約】【課題】防盗性能が優れ、かつ、悪戯等によっては容易に操作不能にならないシリンダ錠の提供を目的とする。【解決手段】ケース１のプラグ挿入孔２内に真正な解錠キーにより回転操作可能なプラグ３を挿入したシリンダ錠であって、  前記ケース１には、プラグ３の前端部に形成される第１ストッパ４に係止して該プラグ３の後方への移動を規制する第１規制部５と、  プラグ３の後方への移動により該プラグ３の後端部に形成される第２ストッパ６に係止して該プラグ３の回転を規制する第２規制部７が設けられ、  かつ、プラグ３の第１ストッパ４と第２ストッパ６の中間部には、所定の捻り荷重により破断するヒューズ部８が設けられるシリンダ錠【選択図】  図２
2014234636.tif 000002
【特許請求の範囲】
【請求項１】
ケースのプラグ挿入孔内に真正な解錠キーにより回転操作可能なプラグを挿入したシリンダ錠であって、
前記ケースには、プラグの前端部に形成される第１ストッパに係止して該プラグの後方への移動を規制する第１規制部と、
プラグの後方への移動により該プラグの後端部に形成される第２ストッパに係止して該プラグの回転を規制する第２規制部が設けられ、
かつ、プラグの第１ストッパと第２ストッパの中間部には、所定の捻り荷重により破断するヒューズ部が設けられるシリンダ錠。
【請求項２】
前記第２規制部はプラグ挿入孔内に突出してプラグに形成されるストッパ溝に係止し、該プラグの抜去方向への移動を規制するとともに、
ストッパ溝の後端部には、プラグが後方に移動した際に前記第２規制部に回転方向に係止する第２ストッパが形成される請求項１記載のシリンダ錠。
【請求項３】
前記第２ストッパは、ストッパ溝にクリップ状部材を装着して形成される請求項２記載のシリンダ錠。
【請求項４】
前記プラグの前端には、キー挿入溝への拡幅部材の侵入を規制するガードプレートが装着される請求項１、２または３記載のシリンダ錠。
【発明の詳細な説明】
【技術分野】
【０００１】
本発明はシリンダ錠に関するものである。
【背景技術】
【０００２】
不正解錠操作に対する耐性を高めたシリンダ錠としては、特許文献１記載のものが知られている。この従来例において、シリンダ錠は錠外筒（ケース）内にシリンダ部（プラグ）を回転自在に挿入して形成され、プラグを真正な解錠キーを使用して回転操作すると、プラグの後端に連結されたクランク軸が回転し、該クランク軸の回転に伴ってロックピンが作動する。
【０００３】
プラグは先端部にヒューズ溝を、後端に凹部を有しており、プラグとクランク軸とは、プラグの凹部にクランク軸のフランジを係止させて回転方向に連結される。
【０００４】
シリンダ錠に不正な回転操作力が与えられると、プラグはヒューズ溝から捩じ切られ、この状態からキー溝にドライバーとを押し込んでプラグを回転させようとすると、プラグへの押し込み力によりクランク軸のフランジが剪断破壊し、以後、プラグへの回転操作力のクランク軸への伝達が不能となり、ロックピンを作動させることができない。
【先行技術文献】
【特許文献】
【０００５】
【特許文献１】特開平９-２５４８４４号公報
【発明の概要】
【発明が解決しようとする課題】
【０００６】
しかし、上述した従来例において、プラグへの後方への移動はクランク軸のフランジにより規制されているために、悪戯等によりプラグ頭部に打撃が与えられた際には、容易にフランジが剪断破壊して操作不能になってしまうという問題がある。
【０００７】
本発明は、以上の欠点を解消すべくなされたものであって、防盗性能が優れ、かつ、悪戯等によっては容易に操作不能にならないシリンダ錠の提供を目的とする。
【課題を解決するための手段】
【０００８】
本発明によれば上記目的は、
ケース１のプラグ挿入孔２内に真正な解錠キーにより回転操作可能なプラグ３を挿入したシリンダ錠であって、
前記ケース１には、プラグ３の前端部に形成される第１ストッパ４に係止して該プラグ３の後方への移動を規制する第１規制部５と、
プラグ３の後方への移動により該プラグ３の後端部に形成される第２ストッパ６に係止して該プラグ３の回転を規制する第２規制部７が設けられ、
かつ、プラグ３の第１ストッパ４と第２ストッパ６の中間部には、所定の捻り荷重により破断するヒューズ部８が設けられるシリンダ錠を提供することにより達成される。
【０００９】
本発明において、プラグ３に不正な解錠操作回転力を付与すると、第１ストッパ４と第２ストッパ６との中間部に配置されるヒューズ部８が破断し、第１ストッパ４が形成される部位と第２ストッパ６が形成される部位が分離し、以後、プラグ３先端部への操作による不正解錠操作が不能になる。
【００１０】
この状態から破断したプラグ３先端部を抜去した後、プラグ３の残留部を回転操作するためには、ドライバ等の工具をプラグ３のキー挿入溝１０等に押し付ける必要があるために、結果、後方への押し込み力が発生し、後方への移動を規制する第１ストッパ４が取り除かれたプラグ３はこれに伴って後方に移動して第２ストッパ６がケース１の第２規制部７に係止し、以後、プラグ３への回転操作が規制される。
【００１１】
したがって、本発明において、ヒューズ部８における破断がプラグ３の後方への移動を許容する条件であり、プラグ３への不正な押し込み力の作用をプラグ３の後方への移動の許容条件としないために、第１ストッパ４と第１規制部５とは、押しこみ操作力に対して十分な強度を有するように構成することが可能になり、結果、押し込み方向の悪戯等による耐性を向上させることができる。
【００１２】
また、シリンダ錠は、
前記第２規制部７はプラグ挿入孔２内に突出してプラグ３に形成されるストッパ溝９に係止し、該プラグ３の抜去方向への移動を規制するとともに、
ストッパ溝９の後端部には、プラグ３が後方に移動した際に前記第２規制部７に回転方向に係止する第２ストッパ６が形成されるように構成することができる。
【００１３】
本発明において、プラグ３はストッパ溝９に第２規制部７を係止させることによりケース１からの抜去が規制される。プラグ挿入孔２内に突出する第２規制部７は、ケース１の側壁からピン、あるいはプレート等を挿入するだけで構成することが可能であるために、簡単な構造でプラグ３の抜去を防止することが可能であり、かつ、該ストッパ溝９に第２ストッパ６を構成することも簡単であるために、全体の構造をより簡単にすることができる。
【００１４】
第２ストッパ６は、ストッパ溝９の壁面に直接形成することも可能であるが、ストッパ溝９にクリップ状部材１２を装着して形成することが可能であり、このように構成することにより全体の構造を簡単にすることができる。
【００１５】
さらに、
前記プラグ３の前端には、キー挿入溝１０へのドライバ等の工具の侵入を規制するガードプレート１１が装着されるシリンダ錠を構成した場合には、ドライバー等をヒューズ部８を超えて深く侵入させてプラグ３を不正回転させることを完全に防止することができるために、不正解錠操作に対する耐性をより高くすることが可能になる。
【発明の効果】
【００１６】
本発明によれば、不正解錠操作に対しては、ヒューズ部が破断し、さらに、破断後のプラグに対する回転操作も不可能になるために、防盗性能を高めることができる。また、プラグ頭部への打撃によっては容易にプラグは破損しないために、悪戯等に対する耐性を高めることができる。
【図面の簡単な説明】
【００１７】
【図１】ステアリングロック装置を示す図で、（ａ）は断面図、（ｂ）は正面図である。
【図２】シリンダ錠を示す図で、（ａ）は縦断面図、（ｂ）は（ａ）の２Ｂ-２Ｂ線断面図、（ｃ）は（ａ）の２Ｃ-２Ｃ線断面図である。
【図３】本発明の動作を示す図で、（ａ）はプラグ頭部が破断した状態を示す断面図、（ｂ）はプラグ残留部が後退した状態を示す断面図、（ｃ）は（ｂ）の３Ｃ-３Ｃ線断面図である。
【発明を実施するための形態】
【００１８】
図１以下にステアリングロック装置に組み込まれた本発明の実施の形態を示す。シリンダ錠（Ａ）は、ケース１内にプラグ３を回転自在に挿入して形成され、フレーム１３の前端部に固定される。
【００１９】
プラグ３の後端部にはドライブ軸１４がプラグ３とともに回転可能に連結されており、プラグ３を回転操作すると、ドライブ軸１４を経由してフレーム１３の後端に固定されるイグニッションスイッチ１５の回転軸１５ａが回転し、スイッチの接点を切り替えることができる。
【００２０】
図１（ａ）に示すように、ケース１の前端部にはポジション表示部１ａが形成されており、ポジション表示部１ａに表示された”ＬＯＣＫ”等のポジション表示マークにより上記イグニッションスイッチ１５のスイッチ状態を知ることができる。
【００２１】
また、フレーム１３内には、圧縮スプリング１６によりドライブ軸１４に対して直交方向に付勢されるハンガーロッド１７が移動自在に装着されており、ドライブ軸１４のカム部１４ａに圧接される。ハンガーロッド１７には施錠ロッド１８が連結され、ハンガーロッド１７の移動に伴って図外のステアリングコラムに固定されるコラム連結部１９に開設されたロッド進退孔１９ａから進退し、施錠ロッド１８がステアリングコラム内に突出した状態で施錠ロッド１８が図外のステアリングシャフトに係止してステアリングへの操作が規制される。
【００２２】
一方、図２に示すように、シリンダ錠（Ａ）のプラグ３には適数のタンブラ３ａが径方向に移動自在に装着されており、プラグ３のキー挿入溝１０内に真正な解錠キーが挿入されない状態においてケース１の係止溝１ｂに係止し、プラグ３への回転操作が禁止される。
【００２３】
また、プラグ３には、最前端に配置されるタンブラ３ａのやや前方に外周部を切り欠いて断面積を小さくしたヒューズ部８が形成され、さらに、前端には硬質の金属により形成されたガードプレート１１が装着されてドライバ等の工具のキー挿入溝１０内への侵入が防がれる。
【００２４】
以上のように構成されるプラグ３は、前端部に膨隆される第１ストッパ４をケース１側の第１規制部５に係止することにより後方への移動が規制されるとともに、プラグ３後端部に形成されるストッパ溝９に第２規制部７を係止させて前方への移動が規制され、ケース１内での軸長方向の移動が前後共に規制される。
【００２５】
図２（ｃ）に示すように、第２規制部７は、ケース１外壁部から内方に向けて鋼製のプレート体２０を挿入して形成され、第１ストッパ４が第１規制部５に乗り上げた通常の使用状態においてプレート体２０の後方壁面をストッパ溝９の前方壁面に当接させてプラグ３の前方への抜け止めが行われる。また、プレート体２０の前方壁面とストッパ溝９の後方壁面との間にはプラグ３が後方に相対移動するためのスペース２１が設定される（図２（ａ）参照）。
【００２６】
さらに、ストッパ溝９の前端面にはクリップ状部材１２が装着されて第２ストッパ６が形成される。図３（ｃ）に示すように、クリップ状部材１２はストッパ溝９の周壁に形成された嵌合孔９ａに突起１２ａを嵌合させるとともに、ストッパ溝９の一方の周壁に翼片部１２ｂを沿わせてプラグ３との相対回転を規制し、さらに、翼片部１２ｂからプラグ３軸長方向に突出する突部１２ｃをストッパ溝９の周壁に当接させて倒れを規制してストッパ溝９に装着される。
【００２７】
したがってこの実施の形態において、ドライバ等をキー挿入溝１０内に挿入して不正に回転操作しようとすると、タンブラ３ａにより回転が規制されるプラグ３の後部と自由回転が許容されるプラグ３の頭部との間に配置されるヒューズ部８にねじり応力が集中してヒューズ部８から破断する（図３（ａ）参照）。
【００２８】
プラグ３の頭部が破断することによってプラグ３の頭部への回転操作力を後部に伝達することが不可能となり、さらに、ガードプレート１１の存在によりこの状態からドライバ等の後部のキー挿入溝１０への挿入が規制されるために、不正解錠操作するためには、図３（ｂ）に示すように、一旦破断した頭部を取り出した後、残留部のキー挿入溝１０にドライバ等を挿入して残留部を回転操作する必要がある。
【００２９】
ケース１の周壁に外周が接触して把持不能なプラグ３の残留部を回転操作するためには、キー挿入溝１０にドライバ等を差し込むことが必要であり、頭部が破断することにより第１ストッパ４による後方移動規制が解除されたプラグ３の残留部はドライバ等の差し込み操作によって、図３（ｂ）に示すように、後方に移動する。
【００３０】
残留部の後方への移動は、プラグ３から突出したタンブラ３ａがケース１の係止溝１ｂによりガイドされるようにして並進的に行われ、図３（ｃ）に示すように、移動終端部において第２ストッパ６が第２規制部７に係止してプラグ３の回転が規制され、不正解錠操作が禁止される。
【符号の説明】
【００３１】
１        ケース
２        プラグ挿入孔
３        プラグ
４        第１ストッパ
５        第１規制部
６        第２ストッパ
７        第２規制部
８        ヒューズ部
９        ストッパ溝
１０      キー挿入溝
１１      ガードプレート
１２      クリップ状部材
Ａ        シリンダ錠
【図１】
2014234636.tif 000003
【図２】
2014234636.tif 000004
【図３】
2014234636.tif 000005